(57)【要約】【課題】駆動モータと磁気センサの近設化を実現した紙幣搬送ユニットを提供する。【解決手段】駆動モータ本体４２は、金属カバー４３に覆われることによって磁束や電磁ノイズの漏洩を防止している。また、駆動モータ本体４２が有するシャフト４４は、非磁性体からなる材質で構成されている。これまで、シャフト４４がアンテナとしての効果を発揮することによって広い範囲に磁束や電磁ノイズの影響を及ぼしていたのであるが、シャフト４４の材質を非磁性とすることによってその影響を低減することができた。さらに、金属カバー４３の形状を駆動モータ本体４２に接するようスカート部を設けた構造とした。特に、駆動モータ本体４２からシャフト４４が突出する部分においては、金属カバー４３が有するスカート部が駆動モータ本体部４２に近接されており、磁束や電磁ノイズの漏洩を防止している。【選択図】        図９
2004256199.tif 000002
【特許請求の範囲】
【請求項１】
横方向に配列された遊技台の上方近傍に延在する取付板に個々の遊技台に対応して設置され、それぞれが接続されることによって遊技台配列方向に紙幣搬送を行う紙幣搬送装置を構成する紙幣搬送ユニットであって、
紙幣を投入するための紙幣投入口と、
投入された紙幣が正常な紙幣であるかを識別するための磁気センサを含む紙幣識別器と、
投入された紙幣を搬送するための駆動力を駆動モータによって発生させる搬送駆動部と、
搬送駆動部からの駆動力を伝達された紙幣が、次の紙幣搬送ユニットあるいは紙幣回収器に搬送されるために通過する搬送部と、
を有し、
前記駆動モータは、駆動モータから発生する磁束の漏洩防止を図るために金属カバーを備え、前記紙幣識別のための磁気センサと駆動モータを近設可能としたこと、
を特徴とする紙幣搬送ユニット。
【請求項２】
請求項１に記載の紙幣搬送ユニットにおいて、
前記駆動モータは、
磁束の漏洩防止のために、駆動モータの有するシャフトの材質を非磁性体としたこと、
を特徴とする紙幣搬送ユニット。
【発明の詳細な説明】
【０００１】
【発明の属する技術分野】
本発明は、紙幣搬送ユニット、特に、遊技台の配列方向に紙幣搬送を行うべく遊技台に対応して設置される紙幣搬送ユニットの改良に関する。
【０００２】
【従来の技術】
パチンコ店等の遊技店では、パチンコ台やスロットマシン等の遊技台を横方向に直線状に配置して遊技島を形成しているのが一般的である。図１１には、遊技台２を複数台配列した遊技島１の例が示されている。図１１において、遊技台２はスロットマシンとして例示されている。遊技台２の間には、遊技台２の２台に１台の割合で、遊技媒体貸出機３が配設されている。図示するスロットマシンに対応する遊技媒体は、メダルであるので、この貸出機３はメダル貸出機である。遊技台がパチンコ台であれば、遊技媒体貸出機は、パチンコ玉貸出機となる。遊技島１には、さらに各遊技台２の上方に設けられた呼び出しランプ等の遊技島設備品５及びその上方にストック箱等を置いておく玉箱収納部６が設けられている。
【０００３】
上記した遊技島１は、図示しない柱部材と水平部材により構築された支持枠体内に各遊技台２及び遊技媒体貸出機３を組み込むとともに、各遊技台２の上方に遊技島設備品５及びストック箱等を置いておく玉箱収納部６を配置することにより組み立てられている。
【０００４】
一般的に、遊技島１に設置された遊技媒体貸出機３は、投入した紙幣を紙幣識別した後、内部の収納装置付紙幣識別装置に収納するように構成されている。遊技媒体貸出機３が投入された紙幣で満杯になったときは、遊技店の店員が遊技媒体貸出機３の前面扉を開き、収納装置付紙幣識別装置に収納された紙幣を手作業にて回収する必要があった。
【０００５】
これに対して、例えば下記特許文献１には、紙幣の手作業による回収を排除するため、各遊技媒体貸出機３が設置される遊技島内部に、紙幣搬送装置を備えた遊技島１が提案されている。
【０００６】
例えば、図１２、図１３及び図１４に示されるように、遊技媒体の貸出のために投入された紙幣は、各遊技媒体貸出機３の上方に設けられた紙幣投入口３ａから紙幣識別装置３ｂを介して、紙幣を起立姿勢で搬送する紙幣搬送装置４により遊技島１の端部に設けた紙幣回収器８に搬送され、整列・収納されるようになっている。
【０００７】
このような構成の遊技島１によれば、各遊技台２に、遊技媒体貸出機３が設けられており、遊技者は、遊技台２に隣接した遊技媒体貸出機３の紙幣投入口３ａから紙幣を投入することにより、遊技媒体の貸出を受けることができる。また、店員は従来のように各遊技媒体貸出機３の内側の収納装置付紙幣識別装置に収納された紙幣をわざわざ巡回して回収する手作業がなくなる。
【０００８】
【特許文献１】
実開平０４−９０３８９号公報
【０００９】
【発明が解決しようとする課題】
しかしながら、上記特許文献１に示された紙幣搬送装置４には、以下のような問題があった。すなわち、上記特許文献１に示された紙幣搬送装置４は、遊技島１の内部に紙幣搬送装置４が設けられている構造のため、紙幣の搬送過程において発生した紙幣詰まり等の不具合に迅速に対応することは非常に困難であった。
【００１０】
そこで、発明者らは、遊技島１の外面、すなわち、遊技台２の上方近傍に延在し、呼び出しランプ等の遊技島設備品５が設けられている取付板９に紙幣搬送装置４を設けることによって、紙幣詰まり等の不具合に迅速に対応することが可能となる、メンテナンス性に優れた紙幣搬送ユニットを創案した。しかし、その設置スペースは非常に限られたものであり、紙幣搬送ユニットのコンパクト化が求められていた。そのために、紙幣搬送のための駆動力を発生させる駆動モータと紙幣識別のために用いられる磁気センサとの取り付け位置を近設せざるを得ず、駆動モータから発生する磁束の漏洩によって磁気センサが正常に動作できなくなるという問題が発生した。すなわち、駆動モータから漏洩する磁束や電磁ノイズの影響によって、磁気センサが紙幣の磁気を正確に読みとれず、紙幣の正偽を判別できずに誤動作が発生してしまうという現象が発生した。これでは、紙幣搬送装置を製品として出荷することはできず、仮に、店舗に設置しても誤動作が頻発して遊技店の売り上げを減少させてしまうことになる。
【００１１】
本発明は、以上のような問題に鑑みて成されたものであり、紙幣搬送のための駆動力を発生させる駆動モータと紙幣識別のために用いられる磁気センサとの取り付け位置を近設することができ、しかも、駆動モータから漏洩する磁束や電磁ノイズの影響を磁気センサに与えることのない紙幣搬送ユニットを提供することにある。これによって、紙幣搬送ユニットのコンパクト化を図り、紙幣搬送ユニットを遊技台２の上方近傍に延在する取付板９に設置することができるので、メンテナンス性に優れた紙幣搬送ユニットを提供することが可能となる。
【００１２】
【課題を解決するための手段】
以上のような課題を解決するために、本発明に係る紙幣搬送ユニットは、横方向に配列された遊技台の上方近傍に延在する取付板に個々の遊技台に対応して設置され、それぞれが接続されることによって遊技台配列方向に紙幣搬送を行う紙幣搬送装置を構成する紙幣搬送ユニットであって、紙幣を投入するための紙幣投入口と、投入された紙幣が正常な紙幣であるかを識別するための磁気センサを含む紙幣識別器と、投入された紙幣を搬送するための駆動力を駆動モータによって発生させる搬送駆動部と、搬送駆動部からの駆動力を伝達された紙幣が、次の紙幣搬送ユニットあるいは紙幣回収器に搬送されるために通過する搬送部とを有している。この紙幣搬送ユニットにおいて、前記駆動モータは、駆動モータから発生する磁束の漏洩防止を図るために金属カバーを備え、前記紙幣識別のための磁気センサと駆動モータを近設可能としたことを特徴とする。
【００１３】
また、本発明に係る紙幣搬送ユニットが備える前記駆動モータは、磁束の漏洩防止のために、駆動モータの有するシャフトの材質を非磁性体としたことを特徴とする。
【００１４】
【発明の実施の形態】
以下、本発明に係る紙幣搬送ユニットの好適な実施の形態について、図を用いて説明する。図１は、本発明に係る紙幣搬送装置が適用される遊技島１０の概略構成を示す斜視図である。遊技島１０は、複数の遊技台１２を横方向に配列して構成されている。図示する遊技台１２はスロットマシンとして示されているが、他の種類、例えば、パチンコ台であってもよい。また、店内のレイアウトによっては、遊技台１２同士が背中合わせとなるように２列に配列することも可能である。各遊技台１２の間には、遊技媒体貸出機１４が配置される。また、各遊技台１２の背面に沿って遊技台１２の上方近傍に延在する取付板１６には、遊技台１２の配列ピッチと略同じ長さを有する紙幣搬送ユニット１８が配置され、各紙幣搬送ユニット１８が横方向に接続されることによって紙幣搬送装置２０を構成している。紙幣搬送ユニット１８が配置されたさらに上方には、ストック箱を置いておく玉箱収納部２２が設けられている場合の島もある。
【００１５】
紙幣搬送ユニット１８の紙幣投入口３３ａに投入された紙幣は、紙幣搬送ユニット１８内部に送り込まれ、下流側（図中左隣）の紙幣搬送ユニット１８に順次送られる。最終的に、紙幣は遊技島１０の端（図中左端）に設けられた紙幣回収器２４に送られ、ここに揃えて収容される。この紙幣回収器２４は、点灯ランプ２４ａを有しており、トラブル発生時には点灯ランプ２４ａを点灯あるいは点滅させて、店員にトラブル発生を報知することができる。また、紙幣搬送ユニット１８の前面には、遊技の内容や状況に応じた表示、動作を行うための操作部を有する呼び出しランプ２６が設けられている。
【００１６】
図２は、１つの紙幣搬送ユニット１８の構造を示す分解斜視図である。また、図３は、実際に使用される状態での紙幣搬送ユニット１８を示しており、搬送路蓋部３２を閉じることによって搬送本体部３１が収納された状態を示している。紙幣搬送ユニット１８は、取付板１６に固定設置される取付金具３０と、取付金具３０に設置されて紙幣の搬送を行う搬送本体部３１と、取付金具３０に開閉自在に設置されて搬送本体部３１を覆う搬送路蓋部３２とから構成されている。これら取付金具３０と搬送本体部３１と搬送路蓋部３２で構成されている紙幣搬送ユニット１８は、各遊技台の横幅と略同じ長さで設置されることになる。なお、図示される紙幣搬送ユニット１８の場合、紙幣は右下から左上へと向けて送られる。また、搬送路蓋部３２を開閉する際には、紙幣投入口カバー３３に設置されている鍵を操作して開閉動作を行うことになる。
【００１７】
搬送本体部３１は、紙幣搬送ユニット１８の一端側に紙幣を投入するための紙幣投入口３３ａを有する紙幣投入口カバー３３と、投入された紙幣が正常な紙幣であるかを識別する紙幣識別器３４と、投入された紙幣を搬送するための駆動力を発生させる搬送駆動部３５と、搬送駆動部３５からの駆動力を伝達された紙幣が次の紙幣搬送ユニット１８あるいは紙幣回収器２４に搬送されるために通過する搬送部３６とを有している。なお、本実施の形態に係る紙幣搬送ユニット１８では、千円紙幣、二千円紙幣、五千円紙幣、一万円紙幣という全種類の紙幣を搬送することが可能となっている。
【００１８】
紙幣投入口カバー３３が有する紙幣投入口３３ａは、紙幣を紙幣識別器３４に正しく挿入するために設けられており、この紙幣投入口３３ａに対して、紙幣は起立姿勢で投入される。また、紙幣投入口カバー３３には動作ランプ３３ｂが設置されており、紙幣搬送ユニット１８が正常に運転されているときには青色のＬＥＤ（発光ダイオード）によって青色点灯し、トラブルが発生したときには、赤色のＬＥＤによって赤色点灯することになる。この動作ランプ３３ｂによって店員にトラブル発生を報知することができる。紙幣識別器３４には、磁気センサ等投入された紙幣の正偽及び券種を識別するためのセンサ類が装備されている。この紙幣識別器３４が備える識別装置については、周知のあらゆる紙幣識別技術を採用することが可能である。搬送駆動部３５は、駆動力を発生する駆動モータとその駆動モータシャフトに掛け回された搬送ベルトから構成されている。この搬送ベルトは、搬送駆動部３５から搬送部３６全体にわたって掛け回されている。搬送ベルトの対面には着脱自在なローラが設置されており、投入された紙幣は搬送ベルトとローラによって挟持され、搬送されることになる。このような機構によって、紙幣投入口３３ａから投入された紙幣は、次の紙幣搬送ユニット１８あるいは紙幣回収器２４に搬送される。なお、本実施の形態に係る紙幣搬送ユニット１８では、紙幣が投入されたときのみ搬送を実施する間欠運転が行われている。
【００１９】
紙幣搬送ユニット１８について、図４及び図５を用いてさらに詳細に説明する。図４は、本実施の形態に係る紙幣搬送ユニット１８の横断面を示す図であり、紙幣投入口カバー３３を外した状態を示している。また、図５は、図４で示した本実施の形態に係る紙幣搬送ユニット１８の外観斜視図である。
【００２０】
紙幣投入口３３ａから投入された紙幣は、矢印（Ａ）で示される紙幣投入路を通過することになる。ここで、紙幣識別器３４によって、不正な紙幣が投入されたと判断されると、紙幣識別器３４自身が備える駆動機構３８によって不正紙幣は払い出されることになる。なお、この駆動機構３８は、常には紙幣の搬送を行うものであり、紙幣の搬送及び排除という２種類の機能を果たしている。矢印（Ｂ）で示される主搬送路には、上流に設置されている別の紙幣搬送ユニット１８からの紙幣が搬送されてくる。紙幣投入路（Ａ）と主搬送路（Ｂ）は、分離ガイド３９によって分離されている。ここで、紙幣投入路（Ａ）と主搬送路（Ｂ）の合流部（Ｘ）において紙幣を接触させないため、紙幣投入路（Ａ）には、紙幣が待機できるだけの長さが確保されている。この待機長の確保によって、主搬送路（Ｂ）の搬送を優先して行うことになる。すなわち、主搬送路（Ｂ）から搬送されてくる紙幣を検知するためのセンサ（不図示）からの信号によって、主搬送路（Ｂ）に紙幣が搬送されているときには、紙幣投入路（Ａ）に投入された紙幣は搬送を停止して待機状態とし、主搬送路（Ｂ）の紙幣が合流部（Ｘ）を通過後に紙幣投入路（Ａ）の紙幣を搬送することになる。その後、紙幣は搬送部３６が形成する紙幣搬送通路（Ｃ）を通過する。このような搬送を行うことにより、搬送途中において紙幣が重なることはなく、一枚づつ正確に搬送することができるので、正確な売り上げカウントを行うことが可能となる。なお、投入された紙幣が正札であれば、遊技媒体貸出機１４から遊技媒体が貸し出されることになる。
【００２１】
続いて、図６、図７及び図８を用いて、本実施の形態における特徴事項を説明する。図６は、本実施の形態に係る紙幣搬送ユニットの要部を説明するための外観斜視図であり、駆動モータ４１を搬送駆動部３５から取り外した状態を示している。また、図７は、図６を下方から見た場合を示す外観斜視図である。さらに、図８は、図７で示した外観斜視図において、駆動モータ４１を搬送駆動部３５に設置した場合を示す図である。
【００２２】
本実施の形態において特徴的なことは、紙幣搬送を行うための駆動力を発生させる駆動モータ４１と紙幣識別のために用いられる磁気センサ４０（例えば、磁気抵抗素子等の紙幣識別のために用いられるあらゆるセンサのこと。）との取り付け位置が非常に近くに設置されているということである。駆動モータ４１からは磁束や電磁ノイズが漏洩しているので、従来から、センサ類が密集している紙幣識別器３４の近くに駆動モータ４１を配置するという設計は行われていなかった。しかしながら、紙幣搬送ユニットのコンパクト化の要請から、駆動モータ４１と磁気センサ４０を近づけざるを得ないという課題が生じた。この課題を解決するために、本実施の形態に係る紙幣搬送ユニットでは、駆動モータ本体４２を金属カバー４３で覆うという手段を採用した。例えば、図示する本実施の形態に係る紙幣搬送ユニットにおいては、駆動モータ４１と磁気センサ４０の距離を１０ｍｍ程度まで近づけることが可能となっている。
【００２３】
図９及び図１０を用いて、本実施の形態に係る駆動モータ４１について、さらに詳細に説明する。図９は、本実施の形態に係る駆動モータ４１の外観斜視図であり、図９中（ａ）は、駆動モータ本体４２に金属カバー４３を被せた状態を示しており、図９中（ｂ）は、駆動モータ本体４２と金属カバー４３を分離した状態を示している。また、図１０は、本実施の形態に係る駆動モータ４１の縦断面を示す図である。
【００２４】
図９において示されるように、駆動モータ本体４２は、シャフト４４側の上面に固定フランジ４２ａを有している。この固定フランジ４２ａが有する取り付け孔と金属カバー４３が有する取り付け孔にボルトを通すことによって、金属カバー４３は駆動モータ本体４２を覆って被着することになる。
【００２５】
また、駆動モータ本体４２が有するシャフト４４は、非磁性体からなる材質で構成されている。このシャフト４４の材質としては、例えば、オーステナイト系ステンレス鋼を採用することが好適であるが、非磁性であればどのような材料（例えば、チタン、セラミックス等）を採用しても良い。これまで、シャフト４４がアンテナとしての効果を発揮することによって広い範囲に磁束や電磁ノイズの影響を及ぼしていたのであるが、シャフト４４の材質を非磁性とすることによってその影響を低減することができた。
【００２６】
さらに、図１０において示されるように、金属カバー４３の形状を駆動モータ本体４２に接するようスカート部４３ａ，４３ｂを設けた構造とした。特に、駆動モータ本体４２からシャフト４４が突出する部分においては、金属カバー４３が有するスカート部４３ｂが駆動モータ本体部４２に近接されており、磁束や電磁ノイズの漏洩を防止している。
【００２７】
以上のように、駆動モータ本体４２を金属カバー４３で覆うとともに、駆動モータ本体４２が有するシャフト４４の非磁性体化を実施し、さらに、金属カバー４３をスカート部４３ａ，４３ｂを設けた構造とすることによって駆動モータ４１と磁気センサ４０を近接することが可能となった。
【００２８】
【発明の効果】
以上述べたように、本発明によれば、紙幣搬送のための駆動力を発生させる駆動モータと紙幣識別のために用いられる磁気センサとの取り付け位置を近設することができ、しかも、駆動モータから漏洩する磁束や電磁ノイズの影響を磁気センサに与えることのない紙幣搬送ユニットを提供することが可能である。これによって、駆動モータと磁気センサを近接させても、磁気センサが誤動作を発生させることがなくなった。したがって、駆動モータと磁気センサの近設化による紙幣搬送ユニットのコンパクト化を図ることができるので、メンテナンス性に優れた紙幣搬送ユニットを提供することができる。
【図面の簡単な説明】
【図１】本発明に係る紙幣搬送装置が適用される遊技島の概略構成を示す斜視図である。
【図２】１つの紙幣搬送ユニットの構造を示す分解斜視図である。
【図３】実際に使用される状態での紙幣搬送ユニットを示しており、搬送路蓋部を閉じることによって搬送本体部が収納された状態を示す図である。
【図４】本発明に係る紙幣搬送ユニットの横断面を示す図であり、紙幣投入口を外した状態を示している。
【図５】図４で示した本発明に係る紙幣搬送ユニットの外観斜視図である。
【図６】本実施の形態に係る紙幣搬送ユニットの要部を説明するための外観斜視図であり、駆動モータを搬送駆動部から取り外した状態を示している。
【図７】図６を下方から見た場合を現す外観斜視図である。
【図８】図７で示した外観斜視図において、駆動モータを搬送駆動部に設置した場合を示す図である。
【図９】本実施の形態に係る駆動モータの外観斜視図であり、図９中（ａ）は、駆動モータ本体に金属カバーを被せた状態を示しており、図９中（ｂ）は、駆動モータ本体と金属カバーを分離した状態を示している。
【図１０】本実施の形態に係る駆動モータの縦断面を示す図である。
【図１１】従来の技術に係る遊技島を例示したものであり、遊技台を複数台配列した状態を示す図である。
【図１２】従来の技術に係る紙幣搬送装置を説明する図である。
【図１３】従来の技術に係る紙幣搬送装置を説明する図である。
【図１４】従来の技術に係る紙幣搬送装置を説明する図である。
【符号の説明】
１，１０  遊技島、２，１２  遊技台、３，１４  遊技媒体貸出機、３ａ  紙幣投入口、３ｂ  紙幣識別装置、４  紙幣搬送装置、５  遊技島設備品、６，２２  玉箱収納部、８，２４  紙幣回収器、９，１６  取付板、１８  紙幣搬送ユニット、２０  紙幣搬送装置、２４ａ  点灯ランプ、２６  呼び出しランプ、３０  取付金具、３１  搬送本体部、３２  搬送路蓋部、３３  紙幣投入口カバー、３３ａ  紙幣投入口、３３ｂ  動作ランプ、３４  紙幣識別器、３５  搬送駆動部、３６  搬送部、３８  駆動機構、３９  分離ガイド、４０  磁気センサ、４１  駆動モータ、４２  駆動モータ本体、４２ａ  固定フランジ、４３  金属カバー、４３ａ，４３ｂ  スカート部、４４  シャフト。
【図１】
2004256199.tif 000003
【図２】
2004256199.tif 000004
【図３】
2004256199.tif 000005
【図４】
2004256199.tif 000006
【図５】
2004256199.tif 000007
【図６】
2004256199.tif 000008
【図７】
2004256199.tif 000009
【図８】
2004256199.tif 000010
【図９】
2004256199.tif 000011
【図１０】
2004256199.tif 000012
【図１１】
2004256199.tif 000013
【図１２】
2004256199.tif 000014
【図１３】
2004256199.tif 000015
【図１４】
2004256199.tif 000016